(57)【要約】【課題】  依頼者であるユーザにとって利便性が高く容易でかつ満足度の高いアナログディスクレコード委託製作業務システムを提供する。【解決手段】  インターネットを用いて、ユーザ端末から送信される音声データを受け付ける音声データ受付部と、アナログディスクレコードを製作する際に必要な種々の情報などを受け付ける製作加工情報受付部と、音声データ受付部及び製作加工情報受付部によって受け付けられたデータを格納する記憶部を備えシステムを構成する事で、アナログディスクレコードを製作する際に必要な情報のおよそ全てをユーザ端末からインターネットを介し送受信することができるアナログディスクレコード委託製作業務システムを提供する。【選択図】  図１
2005322191.tif 000002
【特許請求の範囲】
【請求項１】
インターネットを用いて、ユーザから依頼された音声データを元に音声記録用メディアであるアナログディスクレコードを製作するアナログディスクレコード委託製作業務システムにおいて、ユーザが依頼する音声データ、及びユーザが依頼する音声データに係りアナログディスクレコードを製作する際に必要な種々の情報などを、ユーザ端末からインターネットを介し送受信できる事を特徴するアナログディスクレコード委託製作業務システム。
【請求項２】
インターネットを介してユーザ端末から送信される音声データを受け付ける音声データ受付部と、インターネットを介してユーザ端末から送信された、アナログディスクレコードを製作する際に必要な種々の情報などを受け付ける製作加工情報受付部と、音声データ受付部及び製作加工情報受付部によって受け付けられたデータを格納する記憶部を備え構成された事を特徴とした請求項第一項記載のアナログディスクレコード委託製作業務システム。
【請求項３】
圧縮技術及びコーデックを用いてエンコードされた音声データを受け付ける機能を備え構成される事を特徴とする請求項第一項及び第二項記載のアナログディスクレコード委託製作業務システム。
【請求項４】
ユーザが製作を依頼する音声データ及び音声データを元に製作加工したアナログディスクレコードを販売及び販売委託するか否かを選択する機能を備え構成される事を特徴とする請求項第一項及び第二項記載のアナログディスクレコード委託製作業務システム。
【発明の詳細な説明】
【技術分野】
【０００１】  本発明は、インターネットを用いたアナログディスクレコード委託製作業務システムにおいて、より詳細には、ユーザからユーザが保持する音声データを元にアナログディスクレコードを製作する依頼を受け製作するアナログディスクレコード委託製作業務システムにおいて、インターネットを利用してユーザからの依頼を受け付け、さらにまたユーザは音声データ、及びユーザが依頼する音声データに係りアナログディスクレコードを製作する際に必要な種々の情報などを、ユーザ端末からインターネットを経由して送受信できるようにした、アナログディスクレコード委託製作業務システムに関する。
【背景技術】
【０００２】  近年のアナログディスクレコードへの感心の高まりは著しく、音楽再生用アナログディスクレコード、またこれに伴うターンテーブルやそれに関連する付属品等の、昨今の売れ行きには目を見張るものがある。【０００３】  しかしまた一方では、昨今ＣＤやＤＶＤ等のデジタルオーディオプレイヤー及びメディアの技術革新や、またコストダウンはめざましく、これによりデジタルオーディオプレイヤー及びメディアは広く一般家庭に普及していることは周知の事実である。よって、一般家庭において音楽を再生だけする為にアナログディスクレコードを用いることは非常に希である。【０００４】  このような現状において、アナログディスクレコードが前述のような隆盛を迎えるのは、アナログディスクレコードの使用の目的が、従来のように一般家庭用音楽再生用メディアとしてではなく、クラブやディスコ等と呼ばれる一般大衆向けに主にダンスミュージックを再生する娯楽場などにおいての音楽の特殊な再生用途などへと変化してきているからであり、また現在の音楽市場におけるダンスミュージックの流行などと相まって、クラブやディスコの普及が今日著しいことからである。【０００５】  一般にクラブやディスコ等と呼ばれる、一般大衆向けに多くはダンスミュージックを再生する娯楽場において、主にアナログディスクレコードを用いて音楽を選曲及び再生する人をＤＪと呼び、またその行為をＤＪプレイと呼ぶ。また広義には、選曲及び再生する為の楽曲に手を加えるなどし、聴衆に喜ばれる工夫をする行為もＤＪプレイと呼ばれる。これらＤＪプレイを行うＤＪは、近年日本を始め、先進国と呼ばれる欧州、北米を中心にして増加の一途を辿っており、現在プロとアマチュアを合わせて、ＤＪ人口は推定で百数十万人にのぼると見られている。【０００６】  またこのＤＪプレイには、主にアナログディスクレコードを用いることは前述した通りである。これはＤＪプレイ時には、楽曲の一部を何度も繰り返し再生したり、再生速度を変化及び制御して、二曲以上の異なる楽曲を同時に再生したり、さらにアナログディスクレコードを直接手で回転させる事によって様々な音色を再生したりなどするが、このような操作には、ターンテーブル及びアナログディスクレコードを用いるのが最も容易であるからである。【０００７】  またこの様な、特殊なＤＪプレイと呼ばれる操作によって、様々な新しい楽曲が生み出され、それら楽曲が音楽市場、主にアナログディスクレコード市場にて大きな収益を上げていることは周知である。これらＤＪによるＤＪプレイによって生み出され市場に流通する、新しい楽曲のアナログディスクレコードは、さらに再びＤＪによるＤＪプレイによって工夫され再生及び録音されている。【０００８】  前述アナログディスクレコード市場にて流通する楽曲は、プロＤＪのＤＪプレイによるものが大半であるが、前述したように昨今のアナログディスクレコードの主な用途であるＤＪプレイには、プロ・アマチュア問わずその時々の高揚などにより、新しい楽曲が生まれる事が常である為、アマチュアＤＪによる、ＤＪプレイにより生まれた新しい楽曲をアナログディスクレコードで製作及び販売したいという大きなニーズが生まれている。【０００９】  しか��ながらアナログディスクレコードの製作は、ＣＤ製作におけるＣＤ−Ｒドライブのようなコンシューマ向けの安価な製作機械が無いため、専門業者に製作を委託するしかなく、また専門的な知識も必要である事から製作は非常に難解であり、また製作委託業者の数も限られているために、一般的に普及しておらず、前述の大きなニーズに対しては応えられるシーズがないのが現状であった。【００１０】  また現在は、アナログディスクレコードの製作を専門業者に委託する場合、依頼者であるユーザは、原則的には、音声データをＣＤ、ＣＤ−Ｒ、ＤＡＴ、ＭＤ、カセットテープ等のメディアにマスタリング録音し、また製作に必要な録音・再生スピード及びレコードメディアの種類及びその他種々の情報などを委託業者に伝達する為に、申込用紙等に書き出し、上記音声データのマスタリング録音済みメディアと上記申込用紙等を、郵送及び宅急便等の運送手段を用いて委託業者まで送付する必要があるため、音声データの録音等の加工、申込用紙等の記入、及び送付時の梱包及び送付作業等が煩雑でまた難解であるため億劫となり、ついにはアナログディスクレコードの委託製作を諦めてしまう場合が多々あった。【００１１】  さらにまた、依頼者であるユーザはアナログディスクレコードの製作を業者に委託する場合、郵送及び宅急便等の運送手段を用いず、直接委託業者のもとにおもむき音声データを手渡しする等の手段もあり、直接または電話等を用いるなどして口頭で録音スピード及びレコードメディアの種類及びその他アナログディスクレコード製作に必要な種々の情報などを委託業者に伝達することも可能であるが、原則的には、音声データをＣＤ、ＣＤ−Ｒ、ＤＡＴ、ＭＤ、カセットテープ等にマスタリング録音する必要があり、これら前記の作業が煩雑でまた難解であるため億劫となり、ついにはアナログディスクレコードの委託製作を諦めてしまう場合が多々あった。
【発明の開示】
【発明が解決しようとする課題】
【００１２】  本発明は、前述のような従来の問題点に鑑みてなされたものであり、その目的は、インターネットの特性をいかして、依頼者であるユーザにとって利便性が高く容易でかつ満足度の高いアナログディスクレコード委託製作業務システ厶を提供する事である。
【課題を解決するための手段】
【００１３】  上記の目的を達成するために、本発明では、インターネットを用いて、ユーザから依頼された音声データを元に音声記録用メディアであるアナログディスクレコードを製作するアナログディスクレコード委託製作業務システムにおいて、ユーザが依頼する音声データ、及びユーザが依頼する音声データに係りアナログディスクレコードを製作する際に必要な種々の情報などを、ユーザ端末からインターネットを介し送受信できる事を特徴としている。【００１４】  また前記した、本発明に係るアナログディスクレコード委託製作業務システムはさらに、インターネットを介してユーザ端末から送信される音声データを受け付ける音声データ受付部と、インターネットを介してユーザ端末から送信された、アナログディスクレコードを製作する際に必要な種々の情報などを受け付ける製作加工情報受付部と、音声データ受付部及び製作加工情報受付部によって受け付けられたデータを格納する記憶部を備え構成されている事が好ましい。【００１５】  さらに前記した本発明に係るアナログディスクレコード委託製作業務システムは、圧縮技術及びコーデックを用いてエンコードされた音声データを受け付ける機能を備え構成される事が好ましい。【００１６】  さらに前記した本発明に係るアナログディスクレコード委託製作業務システムは、ユーザが製作を依頼する音声データ及び音声データを元に製作加工したアナログディスクレコードを販売及び販売委託するか否かを選択する機能を備え構成される事が好ましい。
【発明の効果】
【００１７】  本発明によるアナログディスクレコード委託製作業務システムは、インターネットを用いて、ユーザから音声データ及びそれに係る種々の情報等の、アナログディスクレコードを製作する際に必要な情報のおよそ全てをユーザ端末からインターネットを介し送受信することができるので、ユーザにとって利便性が高い、アナログディスクレコード委託製作業務システムであるという利点がある。
【発明を実施するための最良の形態】
【００１８】  ユーザにとって利便性の高いアナログディスクレコード委託製作業務システムを得るために、アナログディスクレコードを製作する際に必要となる音声データ及びそれに係る種々の情報等をユーザ端末からインターネットを介して受け付けるという目的を、システムに、インターネットを介してユーザ端末から送信される音声データを受け付ける、音声データ受付部と、インターネットを介してユーザ端末から送信された、アナログディスクレコードを製作加工する際に必要な種々の情報を受け付ける、製作加工情報受付部と、音声データ受付部及び製作加工情報受付部によって受け付けられたデータを格納する、記憶部を備える事で実現した。
【実施例】
【００１９】  次に、本発明に係るアナログディスクレコード委託製作業務システムの実施の形態の一具体例を、図面を参照して説明する。
図１は、本発明に係るアナログディスクレコード委託製作業務システムのブロック図を示したものである。アナログディスクレコード委託製作業務システム７は、レコード製作委託サイト１と記憶部２から構成されている。また図１において、３はインターネット、４はインターネット３に接続された依頼者すなわちユーザのＰＣ等の端末である。レコード製作委託サイト１は、実際にはユーザマニュアル（図示せず）等の他の多々の機能の備えるが、本例においては代表的に音声データ受付部５と製作加工情報受付部６のみを示す。またユーザ端末４は実際には複数存在しているが、本例においては代表的に単体のみを示した。【００２０】  レコード製作委託サイト１は、インターネット３を介してユーザ端末４から送信される音声データを受け付ける、音声データ受付部５と、インターネット３を介してユーザ端末４から送信される、アナログディスクレコードを製作加工する際に必要な種々の情報を受け付ける、製作加工情報受付部６を備え構成されている。前記の音声データ受付部５と製作加工情報受付部６は、実際にはシステムの機能及び負荷等によって同一インターフェイス内で、若しくは２つ以上の複数のインターフェイスで構成されるが、本例では代表的に２つのインターフェイスで構成されているものとして示す。【００２１】  また記憶部２は、音声データ受付部５及び製作加工情報受付部６によって受け付けられたデータを格納する為のハードディスク等の記憶媒体を備えたデータを管理するサーバを備え構成されている。サーバは実際にはシステムの機能及び負荷等によって１つもしくは複数で構成されるが、図１においては代表的に２つを示した。【００２２】  次に、該アナログディスクレコード委託製作業務システムにおいて、ユーザ端末４からアナログディスクレコード委託製作業務システム７にアクセスがなされ、アナログディスクレコードの委託製作を行う場合の動作について、図２及び図１を参照して説明する。
図２は、図１中の製作加工情報受付部６の代表的なインターフェイスの一例を示す。製作加工情報受付部６のインターフェイスは、実際にはレコードメディアの種類を選択する機能（図示せず）や、ユーザマニュアル（図示せず）等の他の多々の機能を備えるが、本例では代表的にレコードサイズ選択部８、及び回転数選択部９、及び収録データ詳細記述部１０、及び販売委託選択部１１などについて説明する。【００２３】  ユーザがアナログディスクレコードの製作を委託する際には、ユーザ端末４を用いてインターネット３を介してアナログディスクレコード委託製作業務システム７内のレコード製作委託サイト１にアクセスし、該システムによって指定された情報を元に、レコード製作委託サイト１内にある製作加工情報受付部６にアクセスする。【００２４】  次にユーザは製作加工情報受付部６内のレコードサイズ選択部８及び回転数選択部９及び収録データ詳細記述部１０等により、アナログディスクレコードを製作する際に必要な種々の情報などを選択及び記述する。【００２５】  またユーザが製作を依頼する音声データ、及び音声データを元に製作したアナログディスクレコードを、販売及び販売委託するか否かを選択する機能である販売委託選択部１１により、ユーザが音声データ及び音声データを元に製作したアナログディスクレコードを販売及び販売委託を希望する場合には、該機能を用いて音声データ及び音声データを元に製作したアナログディスクレコードの、販売及び販売委託の依頼についての情報などを選択及び記述する。【００２６】  次にユーザはレコードサイズ選択部８、及び回転数選択部９、及び収録データ詳細記述部１０、及び販売委託選択部１１等により選択及び記述された情報などを、該システムによって指定された情報を元に、グラフィカルユーザインターフェイスを用いて、アナログディスクレコード委託製作業務システム７内の記憶部２内のサーバにアップロードする。【００２７】  またユーザは該システムによって指定された情報を元に、同様にユーザ端末４を用いてインターネット３を介して音声データ受付部５にアクセスする。ユーザはここでユーザが依頼するアナログディスクレコードを製作する為の音声データを、該システムによって指定された情報を元に、グラフィカルユーザインターフェイスを用いて、アナログディスクレコード委託製作業務システム７内の記憶部２内のサーバにアップロードする。【００２８】  音声データ受付部５によって受け付けられサーバにアップロードされる音声データは無圧縮の音声データである必要はなく、音声データ受付部５及び記憶部２及び記憶部２内のサーバは、代表的にはＭＰ３、ＷＭＡ、ＡＳＦ、ＡＵ、ＡＸと呼ばれる圧縮データ、もしくは他の形式の圧縮技術及びコーデックを用いてエンコードされたデータなどを、アナログディスクレコードを製作する為の音声データとして受け付ける機能を備え構成されているため、ユーザは圧縮されたデータ容量の少ないデータを安易にアップロードする事ができる。【００２９】  また音声データ受付部５と製作加工情報受付部６が、システ厶の機能及び負荷等によって同一インターフェイス内で構成されている場合は、レコードサイズ選択部８、及び回転数選択部９、及���収録データ詳細記述部１０、及び販売委託選択部１１等により選択及び記述された情報などと、ユーザが依頼するアナログディスクレコードを製作する為の音声データを、一度に同時に該システムによって指定された情報を元に、グラフィカルユーザインターフェイスを用いて、アナログディスクレコード委託製作業務システム７内の、記憶部２内のサーバにアップロードすることとなる。【００３０】  また音声データ受付部５と製作加工情報受付部６が、システムの機能及び負荷等によって２つ以上の複数のインターフェイスで構成される場合は、レコードサイズ選択部８、及び回転数選択部９、及び収録データ詳細記述部１０、及び販売委託選択部１１等により選択及び記述された情報などと、ユーザが依頼するアナログディスクレコードを製作する為の音声データを、２回以上に分割して該システムによって指定された情報を元に、グラフィカルユーザインターフェイスを用いて、アナログディスクレコード委託製作業務システム７内の記憶部２内のサーバにアップロードすることとなるか、若しくはレコードサイズ選択部８、及び回転数選択部９、及び収録データ詳細記述部１０、及び販売委託選択部１１等により選択及び記述された情報などと、ユーザが依頼するアナログディスクレコードを製作する為の音声データ若しくはそれに係る情報等を、システ厶及びユーザ端末のキャッシュ機能等によって一時的に保存し、一度に同時に該システムによって指定された情報を元に、グラフィカルユーザインターフェイスを用いて、アナログディスクレコード委託製作業務システム７内の、記憶部２内のサーバにアップロードすることとなる。【００３１】  これら前述一連の動作によってアナログディスクレコードの委託製作受付の処理が終了するが、該システムによる処理は一貫して一般に普及する、グラフィカルユーザインターフェイス等を用いるため、依頼者であるユーザにとって操作が容易である。また該システムによる処理は一貫してユーザ端末を用いての操作であるため、申込用紙等の記入、及び送付時の梱包及び送付作業、及び持ち込み作業及び口頭での説明等は全て必要なく、またＣＤ、ＣＤ−Ｒ、ＤＡＴ、ＭＤ、カセットテープ等のメディアにマスタリング録音する必要もないことから、依頼者であるユーザにとって利便性が高く容易でかつ満足度の高いアナログディスクレコード委託製作業務システムを提供する事ができる。
【図面の簡単な説明】
【００３２】
【図１】本発明に係るアナログディスクレコード委託製作業務システムのブロック図である。
【図２】製作加工情報受付部のインターフェイス図である。
【符号の説明】
【００３３】１  レコード製作委託サイト
２  記憶部
３  インターネット
４  ユーザ端末
５  音声データ受付部
６  製作加工情報受付部
７  アナログディスクレコード委託製作業務システム
８  レコードサイズ選択部
９  回転数選択部
１０  収録データ詳細記述部
１１  販売委託選択部
【図１】
2005322191.tif 000003
【図２】
2005322191.tif 000004